(57)【特許請求の範囲】
【請求項１】
コンピュータに、患者の医療情報を表示画面に表示させるためのコンピュータプログラムであって、
コンピュータに、
前記表示画面の第１表示領域に前記患者に係る医療期間を表示する処理と、
前記表示画面の第２表示領域に前記医療期間のうちの特定期間に得られた医療情報を表示する処理と、
前記医療期間に得られた医療情報が、前記第２表示領域に表示された医療情報であるか否かを識別する画面内外識別子を医療情報毎に対応させて前記第１表示領域に表示する処理と、
前記医療期間に得られた医療情報が、前記第２表示領域に表示すべく表示設定された医療情報であるか否かを識別する表示設定識別子を前記第１表示領域に表示する処理と
を実行させるコンピュータプログラム。
【請求項２】
コンピュータに、
前記第２表示領域に表示すべく表示設定された医療情報の情報量を、前記表示設定識別子の数又は大きさによって表示する処理を実行させる請求項１に記載のコンピュータプログラム。
【請求項３】
コンピュータに、
前記第２表示領域に表示された医療情報の情報量を、前記画面内外識別子の数又は大きさによって表示する処理を実行させる請求項１又は請求項２に記載のコンピュータプログラム。
【請求項４】
コンピュータに、
前記画面内外識別子又は前記表示設定識別子を、画像、文書又は検査の少なくとも一つを含む医療情報の種別毎に異なる態様で前記第１表示領域に表示する処理を実行させる請求項１から請求項３のいずれか一項に記載のコンピュータプログラム。
【請求項５】
コンピュータに、
前記種別毎に画像データ、文書データ又は検査データに係る医療情報を前記第２表示領域に表示する処理を実行させる請求項４に記載のコンピュータプログラム。
【請求項６】
コンピュータに、
前記画面内外識別子又は前記表示設定識別子を、前記種別毎に前記第２表示領域に表示する処理を実行させる請求項４又は請求項５に記載のコンピュータプログラム。
【請求項７】
コンピュータに、
表示設定された医療情報を非表示設定にする操作を受け付けた場合、前記第１表示領域又は前記第２表示領域に表示した前記医療情報に係る前記表示設定識別子を表示から非表示へ更新する処理を実行させる請求項１から請求項６のいずれか一項に記載のコンピュータプログラム。
【請求項８】
コンピュータに、
非表示設定された医療情報に係る表示領域を、表示設定された医療情報に係る表示領域よりも小さい態様で前記第２表示領域に表示する処理を実行させる請求項７に記載のコンピュータプログラム。
【請求項９】
コンピュータに、
非表示設定された医療情報を表示設定にする操作を受け付けた場合、前記第１表示領域又は前記第２表示領域に表示した前記医療情報に係る前記表示設定識別子を非表示から表示へ更新する処理を実行させる請求項７又は請求項８に記載のコンピュータプログラム。
【請求項１０】
コンピュータに、
前記第２表示領域に表示された医療情報をスクロールする操作を受け付けた場合、前記スクロールに応じて、前記第１表示領域又は前記第２表示領域に表示した前記画面内外識別子を画面内から画面外又は画面外から画面内へ更新する処理を実行させる請求項１から請求項９のいずれか一項に記載のコンピュータプログラム。
【請求項１１】
コンピュータに、
前記医療期間に得られた医療情報を列方向及び行方向に並べたときの列方向又は行方向の情報量を示す図形を表示する処理と、
前記第２表示領域に表示された医療情報の前記列方向又は行方向の情報量を前記画面内外識別子によって表示する処理と
を実行させる請求項１から請求項１０のいずれか一項に記載のコンピュータプログラム。
【請求項１２】
コンピュータに、
前記列方向又は行方向に並べられた前記医療期間に得られた医療情報に対する前記第２表示領域に表示された医療情報の前記列方向又は行方向の位置に対応させて、前記画面内外識別子を前記図形上の位置に表示する処理を実行させる請求項１１に記載のコンピュータプログラム。
【請求項１３】
コンピュータに、
前記医療期間に得られた医療情報を列方向及び行方向に並べたときの列方向又は行方向の情報量のうち非表示に設定された医療情報の情報量を前記表示設定識別子によって表示する処理を実行させる請求項１１又は請求項１２に記載のコンピュータプログラム。
【請求項１４】
コンピュータに、
前記列方向又は行方向に並べられた前記医療期間に得られた医療情報に対する前記非表示に設定された医療情報の前記列方向又は行方向の位置に対応させて、前記表示設定識別子を前記図形上の位置に表示する処理を実行させる請求項１３に記載のコンピュータプログラム。
【請求項１５】
コンピュータに、患者の医療情報を表示画面に表示させるためのコンピュータプログラムであって、
コンピュータに、
前記表示画面に前記患者に係る医療期間のうちの特定期間に得られた医療情報を表示する処理と、
前記医療期間に得られた医療情報を列方向及び行方向に並べたときの列方向又は行方向の情報量を示す図形を表示する処理と、
前記表示画面に表示された医療情報の前記列方向又は行方向の情報量を、前記表示画面に表示された医療情報であるか否かを識別する画面内外識別子によって表示する処理と、
前記医療期間に得られた医療情報を列方向及び行方向に並べたときの列方向又は行方向の情報量のうち非表示に設定された医療情報の情報量を表示設定識別子によって表示する処理と
を実行させるコンピュータプログラム。
【請求項１６】
患者の医療情報を表示画面に表示する表示装置であって、
前記表示画面の第１表示領域に前記患者に係る医療期間を表示する第１表示処理部と、
前記表示画面の第２表示領域に前記医療期間のうちの特定期間に得られた医療情報を表示する第２表示処理部と、
前記医療期間に得られた医療情報が、前記第２表示領域に表示された医療情報であるか否かを識別する画面内外識別子を医療情報毎に対応させて前記第１表示領域に表示する識別子表示処理部と
を備え、
前記識別子表示処理部は、
前記医療期間に得られた医療情報が、前記第２表示領域に表示すべく表示設定された医療情報であるか否かを識別する表示設定識別子を前記第１表示領域に表示する表示装置。
【請求項１７】
患者の医療情報を表示画面に表示する表示装置であって、
前記表示画面の第２表示領域に前記患者に係る医療期間のうちの特定期間に得られた医療情報を表示する第２表示処理部と、
前記医療期間に得られた医療情報が、前記第２表示領域に表示すべく表示設定された医療情報であるか否かを識別する表示設定識別子を前記第２表示領域に表示する識別子表示処理部と
を備える表示装置。
【請求項１８】
患者の医療情報を表示画面に表示する表示装置であって、
前記表示画面に前記患者に係る医療期間のうちの特定期間に得られた医療情報を表示する表示処理部と、
前記医療期間に得られた医療情報を列方向及び行方向に並べたときの列方向又は行方向の情報量を示す図形を表示する図形表示処理部と、
前記表示画面に表示された医療情報の前記列方向又は行方向の情報量を、前記表示画面に表示された医療情報であるか否かを識別する画面内外識別子によって表示する識別子表示処理部とを備え、
前記識別子表示処理部は、
前記医療期間に得られた医療情報を列方向及び行方向に並べたときの列方向又は行方向の情報量のうち非表示に設定された医療情報の情報量を表示設定識別子によって表示する表示装置。
【請求項１９】
請求項１６から請求項１８のいずれか一項に記載の表示装置と、該表示装置に接続され、患者の医療情報を記憶する記憶部を有するサーバとを備える表示システム。
【請求項２０】
患者の医療情報を表示画面に表示する表示方法であって、
前記表示画面の第１表示領域に前記患者に係る医療期間を第１表示処理部が表示し、
前記表示画面の第２表示領域に前記医療期間のうちの特定期間に得られた医療情報を第２表示処理部が表示し、
前記医療期間に得られた医療情報が、前記第２表示領域に表示された医療情報であるか否かを識別する画面内外識別子を医療情報毎に対応させて前記第１表示領域に識別子表示処理部が表示し、
前記医療期間に得られた医療情報が、前記第２表示領域に表示すべく表示設定された医療情報であるか否かを識別する表示設定識別子を前記第１表示領域に前記識別子表示処理部が表示する表示方法。
【請求項２１】
患者の医療情報を表示画面に表示する表示方法であって、
前記表示画面に前記患者に係る医療期間のうちの特定期間に得られた医療情報を表示処理部が表示し、
前記医療期間に得られた医療情報を列方向及び行方向に並べたときの列方向又は行方向の情報量を示す図形を図形表示処理部が表示し、
前記表示画面に表示された医療情報の前記列方向又は行方向の情報量を、前記表示画面に表示された医療情報であるか否かを識別する画面内外識別子によって識別子表示処理部が表示し、
前記医療期間に得られた医療情報を列方向及び行方向に並べたときの列方向又は行方向の情報量のうち非表示に設定された医療情報の情報量を表示設定識別子によって前記識別子表示処理部が表示する表示方法。
【発明の詳細な説明】
【技術分野】
【０００１】
本開示は、コンピュータプログラム、表示装置、表示システム及び表示方法に関する。
【背景技術】
【０００２】
近年、病院又は診療所などの医療機関では、医療情報の電子化及びシステム化が進みつつあり、医療機関の放射線科等の各部門での画像データ又は検査データ、検査結果を示すレポートなどの文書データ、電子カルテなどの膨大な医療情報がデータベース化された医療情報統合管理システムが実用化されている。
【０００３】
このような医療情報統合管理システムは、膨大な医療情報を一元管理するサーバ、各部門で得られた医療データをサーバへ送信する情報処理装置、医師又は看護師などの医療従事者が医療情報を閲覧し、あるいは所要の操作を行うための表示装置などを備える。
【０００４】
患者の医療用データに基づく画像を表示装置の表示画面に表示する場合、当該患者の画像が多いと、すべての画像を表示画面に表示することができない。そこで、表示画面に表示されていない画像が存在する場合に、表示されていない画像の数を示すインジケータを表示する表示装置が開示されている（特許文献１参照）。
【先行技術文献】
【特許文献】
【０００５】
【特許文献１】特許第５８８９２１５号公報
【発明の概要】
【発明が解決しようとする課題】
【０００６】
しかし、特許文献１のような表示装置にあっては、表示画面に表示されていない医療情報が存在することを把握することができるものの、医療情報全体のうちのどの医療情報が表示されているのかを把握することができない。
【０００７】
本開示は、斯かる事情に鑑みてなされたものであり、医療情報全体のうちで表示されている医療情報の位置づけを把握することができるコンピュータプログラム、表示装置、表示システム及び表示方法を明らかにする。
【課題を解決するための手段】
【０００８】
本願は上記課題を解決する手段を複数含んでいるが、その一例を挙げるならば、コンピュータプログラムは、コンピュータに、患者の医療情報を表示画面に表示させるためのコンピュータプログラムであって、コンピュータに、前記表示画面の第１表示領域に前記患者に係る医療期間を表示する処理と、前記表示画面の第２表示領域に前記医療期間のうちの特定期間に得られた医療情報を表示する処理と、前記医療期間に得られた医療情報が、前記第２表示領域に表示された医療情報であるか否かを識別する画面内外識別子を前記第１表示領域に表示する処理とを実行させる。
【発明の効果】
【０００９】
本開示によれば、医療情報全体のうちで表示されている医療情報の位置づけを把握することができる。本開示に関連する更なる特徴は、本明細書の記述、添付図面から明らかになるものである。また、上記した以外の、課題、構成および記述は、以下の実施形態の説明により明らかにされる。
【図面の簡単な説明】
【００１０】
【図１】本実施の形態の表示システムの構成の一例を示すブロック図である。
【図２】本実施の形態の表示処理部の構成の一例を示すブロック図である。
【図３】医療情報の一例を示す説明図である。
【図４】本実施の形態の表示処理部が表示画面に表示する第１表示例を示す模式図である。
【図５】本実施の形態の表示処理部が表示画面に表示する第２表示例を示す模式図である。
【図６】本実施の形態の表示処理部が表示画面に表示する第３表示例を示す模式図である。
【図７】本実施の形態の表示処理部が表示画面に表示する第４表示例を示す模式図である。
【図８】本実施の形態の表示処理部が表示画面に表示する第５表示例を示す模式図である。
【図９】本実施の形態の表示処理部が表示画面に表示する第６表示例を示す模式図である。
【図１０】本実施の形態の表示処理部が表示画面に表示する第７表示例を示す模式図である。
【図１１】患者の医療情報の一覧表示の一例を示す模式図である。
【図１２】本実施の形態の表示処理部が表示画面に表示する表示範囲図形の第１表示例を示す模式図である。
【図１３】本実施の形態の表示処理部が表示画面に表示する表示範囲図形の第２表示例を示す模式図である。
【図１４】本実施の形態の表示処理部が表示画面に表示する表示範囲図形の第３表示例を示す模式図である。
【図１５】本実施の形態の表示処理部が表示画面に表示する表示範囲図形の第４表示例を示す模式図である。
【図１６】本実施の形態の表示処理部が表示画面に表示する表示範囲図形の第５表示例を示す模式図である。
【図１７】本実施の形態の表示処理部の構成の他の例を示すブロック図である。
【図１８】本実施の形態の表示装置による表示処理の第１例を示すフローチャートである。
【図１９】本実施の形態の表示装置による表示処理の第１例を示すフローチャートである。
【図２０】本実施の形態の表示装置による表示処理の第２例を示すフローチャートである。
【発明を実施するための形態】
【００１１】
以下、本開示の実施の形態の表示装置、該表示装置を実現するためのコンピュータプログラム、表示システム及び表示方法について説明する。図１は本実施の形態の表示システム１００の構成の一例を示すブロック図である。本実施の形態の表示システム１００は、例えば、医療情報統合管理システムであり、病院又は診療所などの医療機関で行われる診察、診断、検査等に係る医療情報を、患者毎に最も古い時から現在に至るまでの間に亘って時系列に参照可能となるように統合管理する。
【００１２】
表示システム１００は、医療情報を統合管理するサーバ２０、所定の通信ネットワークを介してサーバ２０と接続される複数の情報処理装置１０及び表示装置５０などを備える。なお、図１では便宜上、表示装置５０を一つだけ図示しているが、複数の表示装置５０が、サーバ２０に接続されてもよい。
【００１３】
情報処理装置１０は、医療機関内の複数の治療部門、診療部門又は検査部門等に設置され、所定の電子データの入力処理、記録処理、編集処理及び出力処理などを行うことができる。情報処理装置１０は、周辺装置を含むコンピュータシステムで構成することができ、例えば、放射線システム、電子カルテシステム、内視鏡システム、生理検査システム、心電図システム、検体ラボシステム、薬剤投薬処方システムなどを構成することができる。情報処理装置１０は、画像データ、文書データ、検査データ等の医療情報をサーバ２０へ送信することができる。
【００１４】
サーバ２０は、サーバ２０全体を制御する制御部２１、記憶部２２、通信部２３などを備える。
【００１５】
通信部２３は、情報処理装置１０及び表示装置５０との間の通信機能を有し、所要の情報の送信及び受信を行うことができる。
【００１６】
記憶部２２は、各情報処理装置１０が送信する医療情報を記憶する。記憶部２２は、患者を特定する特定情報毎に医療情報を各患者に対応付けて記憶することができる。
【００１７】
制御部２１は、ＣＰＵ、メモリ（ＲＯＭ、ＲＡＭなど）、メモリに格納されたプログラムなどで構成することができ、記憶部２２に記憶した医療情報を、患者を特定する特定情報に基づいて抽出し、抽出した医療情報を、患者の医療期間を示す時間軸と、医療情報の内容を示す項目軸との２軸でマトリクス状に配置した一覧表示形式の表示データを生成する。
【００１８】
表示装置５０は、液晶パネルなどの表示画面５１、表示処理部５２、操作入力部５３、通信部５４、記憶部５５などを備える。表示装置５０は、医療機関の医師、技師又は看護師などの医療従事者が、医療情報に係る操作及び閲覧を行うためのものであり、診療、診断の際に使用される。表示装置５０は、周辺装置を含むコンピュータ装置で構成することができるが、画面に対してタッチ操作が可能なタブレット装置でもよい。
【００１９】
なお、表示装置５０は、サーバ２０の機能を内蔵してもよい。例えば、表示装置５０は、サーバ２０を経由せずに情報処理装置１０と直接ネットワークを介して、必要な情報を蓄積して表示することもできる。
【００２０】
また、表示装置５０は、情報処理装置１０の機能を内蔵してもよい。例えば、電子カルテシステムが機能拡張されることにより、表示装置５０に情報処理装置１０の機能を組み込むこともできる。
【００２１】
また、表示装置５０が備える表示画面５１は、一つに限定されず、複数の表示画面（複数の表示デバイス）を備えることもできる。
【００２２】
操作入力部５３は、キーボード、マウス、トラックパッド（タッチパッド）、スタイラスペンなどを含み、医療従事者が、表示画面５１上のアイコン（図形、文字、数字、記号など）又は表示画面５１の所要の箇所を操作（例えば、マウスの場合、左クリック、右クリック、ダブルクリックなど）すると、入力された操作を、当該操作に対応する指令に変換して表示処理部５２へ出力する。
【００２３】
通信部５４は、サーバ２０が送信した一覧表示形式の表示データを受信する。通信部５４で受信された表示データは、記憶部５５に記憶される。
【００２４】
図２は本実施の形態の表示処理部５２の構成の一例を示すブロック図である。表示処理部５２は、第１表示処理部５２１、第２表示処理部５２２、識別子表示処理部５２３、図形表示処理部５２４などを備える。表示処理部５２は、ＣＰＵ、メモリ（ＲＯＭ、ＲＡＭなど）、メモリに格納されたプログラムなどで構成することができる。
【００２５】
表示処理部５２は、通信部５５を介してサーバ２０で統合管理されている医療情報を受信することにより、診察、診断に必要な医療情報を、医療従事者毎の用途に合わせて、患者毎に過去の医療情報から最新の医療情報までを時系列的に表示する処理を行う。
【００２６】
図３は医療情報の一例を示す説明図である。医療情報は、便宜上、例えば、画像、文書、検査、投薬などの種別毎に分けることができる。なお、図３に例示する種別は一例であって、これに限定されない。画像には、例えば、ＣＴ（Computed Tomography）、ＣＲ（Computed Radiology）、ＵＳ（ultrasonography）、ＭＲＩ（magnetic resonance imaging）などのデータが含まれる。また、画像には動画像も含まれる。文書には、例えば、紹介状、診断書、レポート、問診票、同意書、計画書などが含まれる。検査には、生理データとして、例えば、心電図、脳波、超音波、眼底、動脈硬化、血圧、体温、内視鏡などのデータが含まれ、検体データとして、例えば、ＣＥＡ（腫瘍マーカー）、血液、病理、尿、ＡＬＴ（アラニンアミノトランスフェラーゼ）などのデータが含まれる。投薬には、投薬情報が含まれる。なお、図３に示す医療情報（データ）は、一例であって、図３の例に限定されるものではない。
【００２７】
次に、表示処理部５２の詳細について説明する。
【００２８】
図４は本実施の形態の表示処理部５２が表示画面５１に表示する第１表示例を示す模式図である。図４に示すように、表示画面５１は、上下二つの領域に分けられ、上側の領域を第１表示領域６１とし、下側の領域を第２表示領域６２とする。なお、第１表示領域６１及び第２表示領域６２の大きさ、位置関係などは一例であって、図４の例に限定されない。
【００２９】
第１表示処理部５２１は、表示装置５０の表示画面５１の第１表示領域６１に患者に係る医療期間を表示する。患者に係る医療期間とは、当該患者に係る医療情報の日時（時情報）のうち最も古い時から現在までの期間を示す。また、医療期間は、所定の期間（例えば、月単位など）に区切って表示することができる。
【００３０】
図４に示すように、例えば、患者の医療情報の最も古い時が２月であり、現在が１０月である場合、第１表示領域６１には、２月、３月、…１０月の月単位で区切った医療期間を表示することができる。なお、医療期間を区切る場合、月単位のように、同じ期間の長さで区切ってもよいが、例えば、２月、３月、４月、５月〜６月、７月〜９月、１０月の如く異なる長さで区切ってもよい。また、区切る単位は月単位に限定されず、例えば、○月○日から△月△日の如く、月日を特定して区切ってもよい。
【００３１】
第１表示領域６１では、行方向（横方向）に患者の医療期間が図示され、列方向（縦方向）に医療情報の種別（図４の例では、画像、文書、検査）が図示される。また、医療情報の種別は、異なる態様で表示することができ、例えば、図４のように、画像を赤色、文書を青色、検査を緑色の背景で表示してもよく、あるいは、画像、文書、検査の各文字を異なる色で表示してもよい。これにより、医療情報を種別毎に容易に識別することが可能となる。また、第１表示領域６１では、医療情報の情報量が表示される。
【００３２】
第２表示処理部５２２は、表示画面５１の第２表示領域６２に医療期間のうちの特定期間に得られた医療情報を表示する。すなわち、第２表示領域６２には、患者のすべての医療情報のうち、医療期間のうちの特定期間（例えば、３月、４月及び５月などの３か月に亘る期間）に得られた医療情報を表示する。
【００３３】
図４の例では、第２表示領域６２には、３月上旬、３月下旬、４月上旬、４月下旬、５月上旬、５月下旬の６つの区間に分けて、３月から５月までの３か月間の特定期間が表示されている。なお、特定期間の長さ、区切る単位は、図の例に限定されない。例えば、月単位、日単位、時間単位で特定期間を区切ることができる。また、特定期間の長さも日単位、時間単位とすることができる。また、特定期間を異なる期間の長さで区切ることもできる。
【００３４】
また、第１表示領域６１に表示された医療期間のうち、第２表示領域６２に表示された特定期間に相当する期間は、表示月の背景色を変更する等、異なる態様で表示されるので、患者の医療期間のうち、どの期間が第２表示領域６２に表示されているかを容易に把握することができる。逆に言えば、第２表示領域６２に表示されていない期間を容易に識別することができる。
【００３５】
第２表示領域６２には、医療情報の種別毎に区分して医療情報が表示されている。図４の例では、患者の３月から５月までの期間の画像データのうち、ＵＳとＣＴの画像データ７１が表示されている。画像データ７１は、サムネイル（縮小画像）であり、複数のサムネイルが存在する場合、そのうちの代表のサムネイルが表示される。画像データ７１に対して所定の操作（例えば、クリックなど）を行うことによって縮小される前の元の画像を表示させることができる。また、第２表示領域６２には、患者の３月から５月までの期間の文書データのうち、レポート７２が表示されている。レポート７２も、サムネイル（縮小画像）であり、複数のサムネイルが存在する場合、そのうちの代表のサムネイルが表示される。レポート７２に対して所定の操作（例えば、クリックなど）を行うことによって縮小される前の元の文書を表示させることができる。また、画像データ７１、レポート７２、及び後述の検査データ７３などの医療データは、サムネイルに限定されない。医療データは、検査の内容を代表して表示し得るものであれば、キーワード又は記号等であってもよい。
【００３６】
一連の診断、検査等に関わる複数の医療情報は一群の医療情報として管理される。例えば、１回のＣＴ検査では、数百枚から数千枚の医療画像（医療情報）が取得されるが、これら数百枚から数千枚の医療画像を一群の医療情報として取り扱う。なお、一群の医療情報には、１枚の医療画像（医療情報）から成る場合もある。
【００３７】
代表医療情報は、一群の医療情報の内容を代表して表す情報であり、例えば、一つの検査で取得される１又は複数の医療情報を一群の医療情報として管理する場合、当該医療情報の中から代表として選択される情報である。代表医療情報は、元の医療情報を縮小したサムネイルとして作成される。元の医療情報が、例えば、ＵＳ画像、ＭＲＩ画像、ＣＴ画像である場合、代表医療情報は、ＵＳ画像、ＭＲＩ画像、ＣＴ画を縮小したサムネイル（画像）である。なお、期間を区切る単位に対して、特定される一群の医療情報が複数ある場合、それぞれの群の医療情報に対応して複数の代表医療情報を当該単位に表示してもよい。詳細医療情報（医療情報の詳細）は、代表医療情報によって代表される一群の医療情報の内容を指す。本明細書では、画像データ７１、レポート７２、及び検査データ７３などの医療データは、代表医療情報の意味であり、特に明示しない限り、医療情報は代表医療情報と同義として取り扱う。
【００３８】
また、期間を区切る単位（例えば、日、旬など）において代表医療情報が複数ある場合には、代表医療情報を全て表示することができる。あるいは、期間を区切る単位に対して代表医療情報が複数ある場合には、複数の代表医療情報の中から期間を区切る単位を代表する一つの代表医療情報を選択して表示してもよい。複数の代表医療情報から一つの代表医療情報を選択する場合には、全体で何枚の代表医療情報が存在するかを選択された代表医療情報の近傍に表示してもよい。
【００３９】
第２表示領域６２には、患者の医療情報を時間軸（例えば、行方向又は横方向）と項目軸（例えば、列方向又は縦方向）との２軸でマトリクス状に配置した場合の行方向及び列方向それぞれの一部もしくは全部が表示される。
【００４０】
第２表示領域６２の右側に表示されたスクロールバー６３を下方にスクロールすることにより、図４の例では、第２表示領域６２に表示されていない、検査データを表示することができる。また、第２表示領域６２の右側に表示されたスクロールバー６４を下方にスクロールすることにより、第２表示領域６２に表示されていない他の画像データを表示することができる。また、第２表示領域６２の右側に表示されたスクロールバー６５を上方又は下方にスクロールすることにより、第２表示領域６２に表示されていない他の文書データを表示することができる。
【００４１】
識別子表示処理部５２３は、第１表示領域６１に表示された医療期間（図４の例では、２月から１０月）に係る医療情報が、第２表示領域６２に表示された医療情報であるか否かを識別する画面内外識別子を第１表示領域６１に表示する。画面内外識別子は、例えば、図形、色、模様、記号又は数字などのいずれか、あるいは組み合わせによって構成することができる。図４の例では、画面内外識別子は、色又は模様で塗りつぶされた正方形の図形６１１と、色又は模様で塗りつぶされたひし形の図形６１３とによって表されている。図形６１１が、医療情報が第２表示領域６２に表示されていることを示し、図形６１３が、医療情報が第２表示領域６２に表示されていないことを示す。なお、画面内外識別子の例は、図４の例に限定されるものではない。
【００４２】
また、第２表示領域６２に表示された医療情報の情報量を、画面内外識別子の数又は大きさによって表示することができる。画面内外識別子によって、第２表示領域６２内及び第２表示領域６２外に存在する医療情報の情報量を容易に把握することができる。
【００４３】
例えば、第２表示領域６２の画像の欄には、３月上旬及び３月下旬の期間に、それぞれＵＳに係る画像データ７１が二つ表示されている。そして、第１表示領域６１の画像の欄には、３月の期間に、二つの図形６１１が表示されている。また、第２表示領域６２の画像の欄には、４月上旬及び４月下旬の期間に、ＣＴに係る画像データ７１が一つ表示されている。そして、第１表示領域６１の画像の欄には、４月の期間に、一つの図形６１１が表示されている。
【００４４】
また、第２表示領域６２の文書の欄には、４月上旬の期間に、レポートに係る文書データ７２が二つ表示されている。そして、第１表示領域６１の文書の欄には、４月の期間に、二つの図形６１１が表示されている。
【００４５】
また、第１表示領域６１の文書の欄には、５月の期間に、一つの図形６１３が表示され、８月、９月及び１０月の期間それぞれに、二つの図形６１３が表示されている。このことは、第２表示領域６２に表示されていない文書データが、５月の期間に一つ、８月、９月及び１０月それぞれの期間に二つ存在することを表している。
【００４６】
また、第１表示領域６１の検査の欄には、５月及び６月それぞれの期間に、一つの図形６１３が表示されている。このことは、第２表示領域６２に表示されていない検査データが、５月及び６月それぞれの期間に一つ存在することを表している。
【００４７】
上述のように、本実施の形態によれば、患者の医療期間（例えば、２月から１０月まで）におけるすべての医療情報に対応させて、医療情報が第２表示領域６２に表示されているか否かを、画面内識別子によって容易に把握することができるので、第２表示領域６２に特定期間（例えば、３月から５月まで）に亘る医療情報が表示される場合でも、医療情報全体の中で当該表示された医療情報の位置づけを正確に把握することができる。
【００４８】
また、第２表示領域６２に表示されていない医療情報が、その期間にどれ位存在するのかも容易に把握することができる。これにより、第２表示領域６２に表示されていない医療情報のうち、診断又は診療に必要となりそうな医療情報を瞬時に把握して、直ちに第２表示領域６２に表示させる操作を行うことができる。
【００４９】
識別子表示処理部５２３は、第１表示領域６１に表示された医療期間（図４の例では、２月から１０月）に係る医療情報が、第２表示領域６２に表示すべく表示設定された医療情報であるか否かを識別する表示設定識別子を第１表示領域６１に表示する。表示設定識別子は、例えば、図形、色、模様、記号又は数字などのいずれか、あるいは組み合わせによって構成することができる。図４の例では、表示設定識別子は、色又は模様で塗りつぶされた図形６１１、６１３と、塗りつぶしがない図形６１２、６１４とによって表されている。塗りつぶしがある図形６１１、６１３が、第２表示領域６２に表示すべく表示設定されていることを示し、塗りつぶしがない図形６１２、６１４が、第２表示領域６２に表示されないように非表示設定されていることを示す。
【００５０】
すなわち、図形６１１は医療情報が表示設定され、かつ表示画面５１内にあることを示し、図形６１２は医療情報が非表示設定され、かつ表示画面５１内にあることを示し、図形６１３は医療情報が表示設定され、かつ表示画面５１外にあることを示し、図形６１４は医療情報が非表示設定され、かつ表示画面５１外にあることを示す。なお、表示設定識別子の例は、図４の例に限定されるものではない。
【００５１】
また、第２表示領域６２に表示すべく表示設定された医療情報の情報量を、表示設定識別子の数又は大きさによって表示することができる。表示設定識別子によって、表示設定及び非表示設定されている医療情報の情報量を容易に把握することができる。
【００５２】
第１表示領域６１の文書の欄には、５月の期間に、一つの図形６１２が表示されている。このことは、第２表示領域６２の文書の欄には、５月の期間に表示画面５１内に存在するものの非表示設定された文書データが一つ存在することを表している。
【００５３】
また、第１表示領域６１の検査の欄には、５月及び６月それぞれの期間に、一つの図形６１４が表示されている。このことは、第２表示領域６２の検査の欄には、５月及び６月それぞれの期間に表示画面５１内に存在せず、かつ非表示設定された検査データが一つ存在することを表している。
【００５４】
上述のように、本実施の形態によれば、一旦、第２表示領域６２に表示しないように非表示に設定された医療情報が存在する場合でも、非表示設定された医療情報が存在することを容易に把握することができ、非表示に設定された医療情報の有無を確認することができないといった事態を防止することができる。また、第１表示領域６１には、医療情報についての画面内外識別子も表示されるので、非表示に設定された医療情報が、第２表示領域６２内（表示画面５１内）に存在するのか、第２表示領域６２外（表示画面５１外）に存在するのかも容易に把握することができる。
【００５５】
すなわち、画面内外識別子及び表示設定識別子の両方を組み合わせることにより、医療情報の全体の中から表示画面（第２表示領域６２）内で表示されている医療情報及び表示画面（第２表示領域６２）内に存在するものの非表示となっている医療情報を把握することができる。また、医療情報の全体の中から、表示画面（第２表示領域６２）外にあって非表示となっている医療情報も把握することができ、医療情報の全体像を容易に把握することができる。
【００５６】
識別子表示処理部５２３は、画面内外識別子及び表示設定識別子を、画像、文書又は検査の少なくとも一つを含む医療情報の種別毎に異なる態様で第１表示領域６１に表示することができる。異なる態様とは、例えば、種別ごとに異なる色（文字の色、又は背景の色など）とすることができる。図４の例では、画像に関する画面内外識別子及び表示設定識別子は、赤色で表示し、文書に関する画面内外識別子及び表示設定識別子は、青色で表示し、検査に関する画面内外識別子及び表示設定識別子は、緑色で表示することができる。
【００５７】
上述の構成により、医療情報の種別毎に画面内外識別子又は表示設定識別子を容易に見分けることができる。特に、患者の医療期間に亘る医療情報が多い場合でも、画面内外識別子又は表示設定識別子を種別ごとに異なる態様で表示するので、画面内外識別子又は表示設定識別子を容易に見分けることが可能となる。
【００５８】
また、識別子表示処理部５２３は、種別毎に画像データ、文書データ又は検査データに係る医療情報を第２表示領域６２に表示することができる。上述の構成により、医療情報の種別毎に各データを容易に見分けることができる。
【００５９】
また、識別子表示処理部５２３は、画面内外識別子又は表示設定識別子を、種別毎に第２表示領域６２に表示することができる。図４の例では、第２表示領域６２の画像の欄に、３月上旬及び３月下旬の期間それぞれに図形６２１が表示され、４月上旬及び４月下旬の期間それぞれに図形６２３、６２１が表示されている。また、第２表示領域６２の文書の欄に、４月上旬の期間に二つの図形６２１が表示され、５月上旬の期間に図形６２２、６２３が表示されている。
【００６０】
上述の構成により、医療期間一部の期間（図４の例では、３月から５月までの期間）に亘る医療情報の種別毎に画面内外識別子又は表示設定識別子を容易に見分けることができる。
【００６１】
上述の表示設定識別子には、代表画像の内容は確認することができないが、その存在は確認することができる強調・非強調設定識別子を含めることができる。すなわち、強調・非強調設定識別子は、画像データなどの医療データの内容を確認することができないようにされている場合には、非強調に設定され、医療データの内容が確認することができるようにされている場合には、強調に設定される。また、表示設定識別子と別個に強調・非強調設定識別子を表示することもできる。
【００６２】
表示処理部５２が表示画面５１に表示する例は、前述の図４の例に限定されない。例えば、表示画面５１に第１表示領域６１を表示せずに、第２表示領域６２だけを表示することできる。
【００６３】
すなわち、第２表示処理部５２２は、第２表示領域６２（表示画面５１には第２表示領域６２のみが表示されている）に医療期間のうちの特定期間に得られた医療情報を表示する。識別子表示処理部５２３は、医療期間に得られた医療情報が、第２表示領域６２に表示すべく表示設定された医療情報であるか否かを識別する表示設定識別子を第２表示領域６２に表示する。
【００６４】
上述の構成により、一旦、第２表示領域６２に表示しないように非表示に設定された医療情報が存在する場合でも、非表示設定された医療情報が存在することを容易に把握することができ、非表示に設定された医療情報の有無が確認することができないといった事態を防止することができる。すなわち、表示設定識別子により、医療情報の全体の中から表示画面内に存在するものの非表示となっている医療情報を把握することができ、医療情報の全体像を容易に把握することができる。なお、表示画面５１に第１表示領域６１を表示せずに、第２表示領域６２だけを表示する場合、画面内外識別子を第２表示領域６２に表示させてもよい。
【００６５】
次に、第１表示領域６１及び第２表示領域６２に表示された画面内外識別子及び表示設定識別子が更新される様子について説明する。まず、第２表示領域６２に表示された所要の種別に係るデータをスクロールによって移動させる場合について説明する。
【００６６】
図５は本実施の形態の表示処理部５２が表示画面５１に表示する第２表示例を示す模式図である。第２表示例は、図４に示す第１表示例において、スクロールバー６４を下方に移動させた場合を示す。スクロールバー６４を下方に移動させることによって、画像の欄のＵＳに係る画像データが、表示画面５１外に移動するとともに、ＭＲＩに係る画像データが表示画面５１内（第２表示領域６２内）で表示される。
【００６７】
第２表示領域６２の画像の欄において、３月上旬及び３月下旬の期間それぞれに表示されていたＵＳに係る画像データ７１（図４参照）が、図５の例では、表示画面５１（第２表示領域６２）の外に移動している。このため、第１表示領域６１の画像の欄において、３月の期間に表示されていた二つの図形６１１は、それぞれ図形６２３に更新される（破線で示す）。
【００６８】
また、第２表示領域６２の画像の欄において、図４の例では４月上旬の期間に表示されていなかったＭＲＩに係る画像データ７１が、図５の例では、表示画面５１（第２表示領域６２）内に移動して表示されている。このため、第１表示領域６１の画像の欄において、４月の期間に表示されていた図形６１３は、図形６１１に更新される（破線で示す）。また、第２表示領域６２の画像の欄における画面内外識別子も、第１表示領域６１における更新と同様に更新される。
【００６９】
上述のように、スクロール操作によって、第２表示領域６２に表示されていなかった医療情報を表示画面５１（第２表示領域６２）に表示させることができる。スクロール操作に応じて、第２表示領域６２に表示されるようになった医療情報に対応する画面内外識別子が更新される。また、スクロール操作によって、第２表示領域６２に表示されていた医療情報を表示画面５１（第２表示領域６２）に表示しないようにすることができる。スクロール操作に応じて、第２表示領域６２に表示されないようになった医療情報に対応する画面内外識別子が更新される。これにより、スクロール操作によって第２表示領域６２に表示される内容が変更になっても、その変更を反映して、医療情報全体の中で当該表示された医療情報の位置づけを正確に把握することができる。
【００７０】
なお、表示領域を変更する操作は、スクロール操作に限定されない。画面内外識別子などの識別子に対する所定の操作を対応させて、当該識別子によって特定される医療情報に関わる属性に対する設定を変更するようにすることができる。また、当該識別子によって特定される医療情報を表示画面内または表示画面外とするように表示画面を更新することもできる。例えば、第２表示領域６２の外（表示画面外）に医療情報があることを示す識別子をダブルクリックすることにより、当該識別子によって特定される医療情報を第２表示領域６２（表示画面）に表示するように第２表示領域６２（表示画面）を更新することができる。また、第２表示領域６２に表示されない非表示設定であることを示す識別子をダブルクリックすることにより、当該識別子に関わる属性に対する表示・非表示設定を表示設定に変更し、当該医療情報を第２表示領域６２（表示画面）に表示するように第２表示領域６２（表示画面）を更新することができる。また、表示・非表示設定を示す識別子をトリプルクリックすることにより、当該識別子に関わる属性に対する表示・非表示設定を非表示設定に変更してもよい。
【００７１】
次に、第２表示領域６２に表示されたデータ等を非表示設定にする場合について説明する。
【００７２】
図６は本実施の形態の表示処理部５２が表示画面５１に表示する第３表示例を示す模式図である。第３表示例は、図４に示す第１表示例において、第２表示領域６２の画像の欄に表示するＣＴに係る画像データを非表示に設定した場合を示す。図４の例において、ＣＴに係る画像データを非表示に設定するには、例えば、カーソルをＣＴの付近に移動させて、所定の操作（例えば、右クリックなど）を行うことにより可能である。なお、非表示に設定する操作は、適宜設定することができる。
【００７３】
識別子表示処理部５２３は、表示設定された医療情報を非表示設定にする操作を受け付けた場合、第１表示領域６１又は第２表示領域６２に表示した当該医療情報に係る表示設定識別子を表示から非表示へ更新する。
【００７４】
第２表示領域６２には、患者の医療情報のうち一部の医療情報だけが表示されている。このため、第２表示領域６２に表示されていない医療情報を表示画面５１（第２表示領域６２）に表示させるべく、表示設定された医療情報を非表示設定にする操作を行う場合がある。これにより、第２表示領域６２に表示されていた医療情報が非表示になるとともに、第２表示領域６２に表示されていなかった医療情報を表示画面５１（第２表示領域６２）に表示させることができる。図６の例では、ＣＴに係る画像データが非表示に設定されると、ＭＲＩに係る画像データ７１が第２表示領域６２に表示される。
【００７５】
また、非表示設定にする操作に応じて、非表示に設定された医療情報に対応する表示設定識別子が更新される。また、非表示設定にする操作に応じて、第２表示領域６２に表示されるようになった医療情報に対応する画面内外識別子が更新される。
【００７６】
図６の例では、第２表示領域６２の画像の欄において、４月下旬の期間に表示されていたＣＴに係る画像データ７１が非表示に設定されるので、第１表示領域６１の画像の欄において、４月の期間に表示されていた図形６１１は、図形６１２に更新されている。また、第２表示領域６２の画像の欄において、ＭＲＩに係る画像データが表示され、４月上旬の期間に新たにＭＲＩに係る画像データ７１が表示されるので、第１表示領域６１の画像の欄において、４月の期間に表示されていた図形６１３は、図形６１１に更新されている（破線で囲まれた箇所）。また、第２表示領域６２の画像の欄における画面内外識別子及び表示設定識別子も、第１表示領域６１における更新と同様に更新される。
【００７７】
第２表示処理部５２２は、非表示設定された医療情報に係る表示領域を、表示設定された医療情報に係る表示領域よりも小さい態様で第２表示領域６２に表示する。医療情報に係る表示領域とは、例えば、当該医療情報を表示するための領域である。図６の例では、非表示に設定されたＣＴに係る画像データを、縦方向の長さが短い棒状の表示領域６６で表示している。
【００７８】
これにより、非表示に設定した医療情報を完全に第２表示領域６２から消去する場合に比べて、第２表示領域６２での他の医療情報の表示を妨げることなく、非表示に設定された医療情報が存在することを容易に把握することができる。
【００７９】
また、識別子表示処理部５２３は、非表示設定された医療情報を表示設定にする操作を受け付けた場合、第１表示領域６１又は第２表示領域６２に表示した当該医療情報に係る表示設定識別子を非表示から表示へ更新する。例えば、図６に例示した表示領域６６にカーソルを移動させ、所定の操作を行うことにより、非表示設定から表示設定に変更することができる。
【００８０】
患者の医療情報を再度確認するため、一旦非表示設定された医療情報を表示設定にする操作を行う場合がある。これにより、第２表示領域６２に表示されていなかった医療情報を表示画面５１（第２表示領域６２）に表示させることができる。また、表示設定にする操作に応じて、表示に設定された医療情報に対応する表示設定識別子が更新される。また、表示設定にする操作に応じて、第２表示領域６２に表示されるようになった医療情報に対応する画面内外識別子が更新される。
【００８１】
次に、第２表示領域６２に表示された種別をスクロールによって移動させる場合について説明する。
【００８２】
図７は本実施の形態の表示処理部５２が表示画面５１に表示する第４表示例を示す模式図である。第４表示例は、図４に示す第１表示例において、スクロールバー６３を下方に移動させた場合を示す。スクロールバー６３を下方に移動させることによって、画像の欄が、表示画面５１外に移動するとともに、検査の欄が表示画面５１内（第２表示領域６２内）で表示される。
【００８３】
図７に示すように、第２表示領域６２から画像の欄が消えるので、第１表示領域６１の画像の欄において、３月の期間の二つの図形６１１は、それぞれ図形６１３に更新され、４月の期間の図形６１１は、図形６１３に更新される。
【００８４】
また、第２表示領域６２の検査の欄において、５月上旬の期間に、ＡＬＴに係る検査データ７３が第２表示領域６２に表示され、非表示設定された検査データが第２表示領域６２内に存在するので、第１表示領域の検査の欄において、５月の期間に表示されていた図形６１４、６１３は、それぞれ図形６１２、６１１に更新される。すなわち、第１表示領域６１の検査の欄において、５月の期間に図形６１２が表示されているので、第２表示領域６２内に非表示に設定された検査データが存在することが一目瞭然に分かる。また、第２表示領域６２の検査の欄における画面内外識別子も、第１表示領域６１の場合と同様に表示される。検査データ７３もサムネイルである。
【００８５】
図８は本実施の形態の表示処理部５２が表示画面５１に表示する第５表示例を示す模式図である。第５表示例は、第２表示領域６２に画面内外識別子及び表示設定識別子を表示させない例である。これにより、図４に示す例と比較して、第２表示領域６２の画像の欄には、ＭＲＩに係る画像データ７１も表示させることができ、また、第２表示領域６２の文書の欄には、問診票に係る文書データ７２も表示させることができるので、第２表示領域６２内で表示させるデータの量を増やすことができる。
【００８６】
上述の例では、画面内外識別子及び表示設定識別子を、図形（アイコン）の形状、図形の塗りつぶしの有無によって識別し、図形の数によって医療情報（データ）の数を特定する構成であったが、これに限定されるものではない。
【００８７】
図９は本実施の形態の表示処理部５２が表示画面５１に表示する第６表示例を示す模式図である。第６表示例は、図形に代えて数値表示する例である。すなわち、数字は医療情報（データ）の数を示し、かっこ（）なしが表示設定であることを示し、かっこ（）ありが非表示設定であることを示し、アンダーバーなしが表示画面内であることを示し、アンダーありが表示画面外であることを示す。
【００８８】
図１０は本実施の形態の表示処理部５２が表示画面５１に表示する第７表示例を示す模式図である。第７表示例では、過去の閲覧履歴等の識別する履歴識別子について説明する。履歴識別子は、閲覧したか否かを示す閲覧識別子６１６、医療情報の詳細情報まで閲覧したか否かを示す詳細閲覧識別子６１７などを含む。図１０の例では、閲覧識別子６１６を下線で表し、詳細閲覧識別子６１７を枠線で表す。また、前回（直近）のログイン時から今回のログイン時までに記録（蓄積）された医療情報を示す新規識別子６１８を「ＮＥＷ」で表す。なお、各識別子の形状は一例であって、図１０に示す例に限定されない。
【００８９】
識別子表示処理部５２３は、医療情報が閲覧されたか否かを示す閲覧識別子６１６、及び医療情報の詳細情報まで閲覧されたか否かを示す詳細閲覧識別子６１７を含む履歴識別子、当該医療情報に係る画面内外識別子又は表示設定識別子と同時又は近傍に表示する。
【００９０】
例えば、医療従事者は、３月２８日にログインして、３月に撮影された画像に関する医療情報を全て第２表示領域６２に表示し、そのうちの一つ（３月下旬）の画像を詳細情報まで確認したとする。医療従事者は、１０月１１日にログインして、８月に作成された文書に関する医療情報を全て第２表示領域６２に表示し、そのうちの一つ（３月下旬）の文書を詳細情報まで確認したとする。さらに、医療従事者は、１１月２２日にログインしたとする。
【００９１】
前回（１０月１１日）のログイン時から今回（１１月２２日）のログイン時までに新しく蓄積された医療情報を示す図形６１３の近傍に新しいことを示す新規識別子６１８（図の例では、文字「ＮＥＷ」）が表示される。
【００９２】
３月に撮影された画像に関する医療情報及び８月に作成された文書に関する医療情報を示す識別子（図形６１１、６１３）の下部に下線（閲覧識別子６１６）が表示されており、閲覧したことが分かる。また、８月の文書に関する医療情報を示す識別子（図形６１３）の下部の下線の方が、３月の画像に関する医療情報を示す識別子（図形６１１）の下部の下線よりも太く表示されていることから、８月の文書の方が直近に閲覧されたことが分かる。
【００９３】
さらに、上記閲覧された医療情報のうち、３月の画像に関する医療情報の一つと、８月の文書に関する医療情報の一つを表す識別子（図形６１１、６１３）が、それぞれ枠線（詳細閲覧識別子６１７）に囲まれており、医療情報の詳細まで閲覧したことが分かる。また、枠線が太いほど、直近に詳細閲覧したことが分かるようになっている。
【００９４】
次に、ある患者について、表示画面５１（第２表示領域６２）に表示される医療情報が、当該患者のすべての医療情報のどの範囲を表示するのかを示す表示範囲図形について説明する。
【００９５】
図１１は患者の医療情報の一覧表示の一例を示す模式図である。図１１の例では、簡便のため、医療情報として、ＵＳ、ＣＴ、ＭＲＩ、内視鏡、病理、血圧、体温を挙げているが、医療情報はこれらに限定されるものではない。また、患者の医療期間は、月単位で２月から１０月までとする。図１１に示すように、２月には、ＵＳ、ＣＴ、ＭＲＩ、内視鏡、血圧及び体温に関する６個のデータ７１が存在し、そのうち内視鏡に関する１個のデータ７１は、非表示に設定されているとする。非表示設定であることを示すため、便宜上データ７１を破線で示す。
【００９６】
３月及び９月には、それぞれ病理に関する１個のデータ７１が存在し、５月及び８月には、それぞれＭＲＩに関する１個のデータ７１が存在し、７月にはＵＳに関する１個のデータ７１が存在するとする。また、６月には非表示設定されたＵＳに関するデータ７１が存在するとする。図１１の例では、列方向に７個のセルが並び、行方向に９個のセルが並んだマトリクス状の一覧表示となっている。
【００９７】
図１２は本実施の形態の表示処理部５２が表示画面５１に表示する表示範囲図形の第１表示例を示す模式図である。表示画面５１を第１表示領域６１及び第２表示領域６２の如く分ける場合には、図１２に示す表示領域は、第２表示領域６２に相当し、表示画面５１を第１表示領域６１及び第２表示領域６２の如く分けない場合には、図１２に示す表示領域は、表示画面５１全体に相当する。
【００９８】
図１２に示す例では、患者の全医療情報のうち、期間が２月から４月までの特定期間が表示され、医療情報は、ＵＳ、ＣＴ、ＭＲＩが表示されている。また、医療情報の一覧の右側及び下側には、表示範囲図形を表示する領域（概況）が設けられている。
【００９９】
２月の期間に注目すると、２月の全医療情報６個のうち、３個の医療情報が表示領域に表示されている。概況の２月の欄には、全医療情報の情報量を示す図形８１と、表示領域に表示された医療情報であることを示す画面内外識別子（画面内設定）８２とを表示する。また、画面内外識別子（画面内設定）８２の数は、表示領域に表示された医療情報の情報量を示す（図の例では、３個）。
【０１００】
すなわち、図形表示処理部５２４は、医療期間に係る医療情報を列方向及び行方向に並べたときの列方向又は行方向の情報量を示す図形を表示する。情報量は、医療情報を列方向及び行方向に並べたときの一列又は一行当たりの医療情報の数でもよく、あるいは一列又は一行に配列された医療情報の両端側にある医療情報同士の間の長さでもよい。図形は、例えば、情報量（数又は長さなど）に応じた大きさとすることができる。図形は、長方形でもよく、あるいは、正方形、円形又は三角形などの図形を複数並べたものでもよい。
【０１０１】
また、識別子表示処理部５２３は、表示領域に表示された医療情報の列方向又は行方向の情報量を画面内外識別子によって表示する。情報量は、表示領域に表示された医療情報を列方向及び行方向に並べたときの一列又は一行当たりの医療情報の数でもよく、あるいは一列又は一行に配列された医療情報の位置でもよい。画面内外識別子は、例えば、情報量（数又は位置など）を表すことができるものであればよく、正方形、円形又は三角形などの図形を複数並べたものとすることができる。
【０１０２】
図１１の例では、２月の医療情報は、列方向に７個のセルに亘って配置されるので、図形８１の長さは、セル７個分に相当する長さにすることができる。また、図１２の例では、表示領域に表示されている２月の医療情報は３個であり、かつ上から３個のセルを占めるので、画面内外識別子８２を３個表示するとともに、図形８１の上側にシフトした位置に表示する。これにより、表示領域に表示されている医療情報の表示範囲を把握することができる。
【０１０３】
また、識別子表示処理部５２３は、医療期間に得られた医療情報を列方向及び行方向に並べたときの列方向又は行方向の情報量のうち非表示に設定された医療情報の情報量を表示設定識別子によって表示する。表示設定識別子は、例えば、情報量（数又は位置など）を表すことができるものであればよく、正方形、円形又は三角形などの図形を複数並べたものとすることができる。
【０１０４】
２月の期間に注目すると、２月の全医療情報６個のうち、１個の医療情報（内視鏡に関するデータ７１）が非表示設定となっている。概況の２月の欄には、全医療情報の情報量を示す図形８１と、非表示設定された医療情報であることを示す表示設定識別子（非表示設定）１８２とを表示する。また、表示設定識別子（非表示設定）１８２の数は、非表示設定された医療情報の情報量を示す（図の例では、１個）。
【０１０５】
図１１の例では、上述のように、２月の医療情報は、列方向に７個のセルに亘って配置されるので、図形８１の長さは、セル７個分に相当する長さにすることができる。また、図１２の例では、非表示設定されている２月の医療情報は１個であり、かつ上から４個目のセルを占めるので、表示設定識別子１８２を１個表示するとともに、図形８１のほぼ中央部に表示する。これにより、非表示設定されている医療情報の表示範囲を把握することができる。
【０１０６】
図形及び表示設定識別子によって、患者の医療期間に係る医療情報の全体が列方向又は行方向毎に把握することができるとともに、全体の医療情報のうち表示設定されている医療情報及び非表示設定されている医療情報の数又は位置が列方向又は行方向毎に把握することができる。これにより、医療情報全体の中で表示設定及び非表示設定されている医療情報を把握することができる。
【０１０７】
図１１の例では、３月の医療情報は、列方向に１個のセルに配置されるので、図形８１の長さは、セル１個分に相当する長さにすることができる。また、図１２の例では、表示領域に表示されている３月の医療情報は０個であるので、画面内外識別子（画面内設定）８２は表示されていない。なお、表示領域外に病理に関するデータ７１が１個あるので、画面内外識別子を画面外設定として１個表示してもよい。また、３月の医療情報には、非表示設定された医療情報がないので、図形８１と表示設定識別子（非表示設定）１８２の組み合わせ図形は表示されない。また、４月の医療情報は存在しないので、図形８１は表示されない。
【０１０８】
また、図１１の例では、ＵＳに係る医療情報は、行方向に６個のセル（２月から７月）に亘って配置されるので、図形８１の長さは、セル６個分に相当する長さにすることができる。また、図１２の例では、表示領域に表示されているＵＳに係る医療情報は１個であり、かつ左端のセルを占めるので、画面内外識別子（画面内設定）８２を１個表示するとともに、図形８１の左端にシフトした位置に表示する。これにより、表示領域に表示されている医療情報の表示範囲を把握することができる。ＭＲＩに係る医療情報についても同様である。
【０１０９】
また、図１１の例では、上述のように、ＵＳに係る医療情報は、行方向に６個のセル（２月から７月）に亘って配置されるので、図形８１の長さは、セル６個分に相当する長さにすることができる。また、図１２の例では、非表示設定されている、ＵＳに関する医療情報は１個であり、かつ前述の６個のセルの右から２個目のセルを占めるので、表示設定識別子１８２を１個表示するとともに、図形８１の右側に表示する。これにより、非表示設定されている医療情報の表示範囲を把握することができる。
【０１１０】
また、図１１の例では、ＣＴに係る医療情報は、２月の期間に１個存在し、かつ表示領域に表示されているので、図形８１の長さは、セル１個分に相当する長さにすることができ、かつ画面内外識別子（画面内設定）８２を１個表示するので、実質的に図形８１に画面内外識別子（画面内設定）８２が重なったように表示される。
【０１１１】
上述のように、列方向又は行方向に並べられた医療期間に係る医療情報に対する表示領域に表示された医療情報の列方向又は行方向の位置に対応させて、画面内外識別子（画面内設定）８２を図形８１上の位置に表示する。図形８１及び画面内外識別子（画面内設定）８２によって、患者の医療期間に係る医療情報の全体が列方向又は行方向毎に把握することができるとともに、全体の医療情報のうち表示領域に表示されている医療情報の数又は位置が列方向又は行方向毎に把握することができる。これにより、表示領域で表示されている医療情報の表示範囲を把握することができる。
【０１１２】
図１３は本実施の形態の表示処理部５２が表示画面５１に表示する表示範囲図形の第２表示例を示す模式図である。第２表示例は、第１表示例において、表示領域を下方に移動させた場合を示し、表示領域には、内視鏡、病理、血圧に係る医療情報が表示されている。
【０１１３】
図１３に示すように、表示領域に表示されている２月の医療情報は３個から１個に変更され、かつ下から２個目のセルを占めるので、画面内外識別子（画面内設定）８２を１個表示するとともに、図形８１の下側にシフトした位置に表示する。これにより、表示領域に表示されている医療情報の表示範囲を把握することができる。
【０１１４】
また、図１１の例では、上述のように、２月の医療情報は、列方向に７個のセルに亘って配置されるので、図形８１の長さは、セル７個分に相当する長さにすることができる。また、図１３の例では、非表示設定されている２月の医療情報は１個であり、かつ上から４個目のセルを占めるので、表示設定識別子１８２を１個表示するとともに、図形８１のほぼ中央部に表示する。これにより、非表示設定されている医療情報の表示範囲を把握することができる。
【０１１５】
図１３に示すように、表示領域に表示されている３月の医療情報は０個から１個に変更されたので、図形８１の長さは、セル１個分に相当する長さにすることができ、かつ画面内外識別子（画面内設定）８２を１個表示するので、実質的に図形８１に画面内外識別子（画面内設定）８２が重なったように表示される。また、４月の医療情報は存在しないので、図形８１は表示されない。内視鏡、病理及び血圧に係る医療情報の表示範囲図形も同様である。
【０１１６】
図１２及び図１３の例では、期間についての（列に対応した）図形は、縦長の長方形で図示したが、横長の図形を用いてもよい。また、図１２及び図１３の例では、医療情報についての（行方向に対応した）図形は、横長の長方形で図示したが、縦長の図形を用いてもよい。
【０１１７】
図１４は本実施の形態の表示処理部５２が表示画面５１に表示する表示範囲図形の第３表示例を示す模式図である。第３表示例は、縦長又は横長の長方形に代えて、複数の円形を並べた表示範囲図形を示す。例えば、２月の医療情報は、全部で６個存在し、そのうち３個が表示領域に表示されているので、円形の図形８３を６個並べるとともに、そのうちの３個を色又は模様を付した円形の画面内外識別子（画面内設定）８４とする。また、２月の医療情報のうち、１個が非表示設定されているので、画面内外識別子（画面内設定）８４とは別の色又は模様を付した円形の１個の表示設定識別子（非表示設定）１８４とする。また、図形８３の中で、画面内外識別子（画面内設定）８４及び表示設定識別子（非表示設定）１８４の位置は、図１１に示した２月の医療情報の並びと同様となっている。これにより、表示領域に表示されている医療情報の表示範囲を把握することができる。
【０１１８】
図１５は本実施の形態の表示処理部５２が表示画面５１に表示する表示範囲図形の第４表示例を示す模式図である。図１５に示すように、医療情報の数に応じて、図形８１の色の濃淡を変えることもできる。例えば、医療情報の数が多くなるにつれて、図形８１の濃度を濃くすることができる。
【０１１９】
図１６は本実施の形態の表示処理部５２が表示画面５１に表示する表示範囲図形の第５表示例を示す模式図である。図１６に示すように、円形の図形８３、画面内外識別子（画面内設定）８４を並べて表示する代わりに、数個を纏めて大きな図形で表すことができ、あるいは、数個を纏めて他の図形に変更（図１６の例では、円形を星形に変更）することができる。これにより、補助図形が占める領域を小さくすることができるとともに、表示領域に表示されている医療情報の位置、あるいは表示範囲を的確に把握することができる。
【０１２０】
また、上述のように、画面内外識別子又は表示設定識別子を図形８１、８３と異なる態様で表示することができる。異なる態様とは、図形の形状、色、模様などとすることができる。これにより、表示領域で表示されている医療情報の表示範囲を一層明確に把握することができる。
【０１２１】
図１７は本実施の形態の表示処理部５２の構成の他の例を示すブロック図である。図１７に示すように、表示処理部５２は、ＣＰＵ５２６、ＲＯＭ５２７、ＲＡＭ５２８、記録媒体読取部５２９などで構成することができる。記録媒体１に記録されたコンピュータプログラムを記録媒体読取部５２９で読み取ってＲＡＭ５２８に格納することができる。ＲＡＭ５２８に格納されたコンピュータプログラムをＣＰＵ５２６で実行させることにより、第１表示処理部５２１、第２表示処理部５２２、識別子表示処理部５２３、図形表示処理部５２４で行う処理を実行することができる。なお、ＣＰＵ５２６は、プロセッサ、プロセッサデバイス、プロセッシングユニットなどの総称とし、１又は複数で構成することができる。また、コンピュータプログラムは、記録媒体読取部５２９で読み取る構成に代えて、インターネットなどのネットワークを介してダウンロードすることもできる。
【０１２２】
次に、本実施の形態の表示装置５０の動作について説明する。
【０１２３】
図１８及び図１９は本実施の形態の表示装置５０による表示処理の第１例を示すフローチャートである。以下では、便宜上処理の主体を表示処理部５２として説明する。表示処理部５２は、患者の特定情報を取得する（Ｓ１１）。特定情報の取得は、例えば、医療従事者が、操作入力部５３から患者の特定情報を入力、あるいは表示画面５１に表示された患者の一覧から所要の患者を選択することにより行うことができる。
【０１２４】
表示処理部５２は、特定された患者の医療情報をサーバ２０から取得する（Ｓ１２）。取得した医療情報は記憶部５５に記憶することができる。表示処理部５２は、患者に係る医療期間及び医療情報の種別を第１表示領域６１に表示し（Ｓ１３）、医療期間の特定期間に得られた医療情報を第２表示領域６２に表示する（Ｓ１４）。
【０１２５】
表示処理部５２は、医療期間の全ての医療情報に対応させて当該医療情報の画面内外識別子及び表示設定識別子を第１表示領域６１に表示する（Ｓ１５）。なお、表示設定識別子は、初期設定（デフォルト）のものでもよく、過去の履歴から最新の状態を反映したものでもよい。
【０１２６】
表示処理部５２は、第２表示領域６２に表示された特定期間に得られた医療情報に対応させて当該医療情報の画面内外識別子及び表示設定識別子を第２表示領域６２に表示する（Ｓ１６）。なお、第２表示領域６２に画面内外識別子及び表示設定識別子を表示する処理は必須ではない。また、ステップＳ１３からＳ１６までの処理は、順番に行う必要はなく、ほぼ同時に行うことができる。
【０１２７】
表示処理部５２は、第２表示領域６２内の医療情報に対してスクロール操作があったか否かを判定し（Ｓ１７）、スクロール操作があった場合（Ｓ１７でＹＥＳ）、スクロール操作に応じて医療情報を第２表示領域６２に表示する（Ｓ１８）。この場合、第２表示領域６２から消える医療情報もある。
【０１２８】
表示処理部５２は、第２表示領域６２内の医療情報の表示状況に応じて画面内外識別子を更新する（Ｓ１９）。スクロール操作がなかった場合（Ｓ１７でＮＯ）、表示処理部５２は、後述のステップＳ２０の処理を行う。
【０１２９】
表示処理部５２は、第２表示領域６２内の医療情報を表示設定から非表示設定にする操作があったか否かを判定し（Ｓ２０）、操作があった場合（Ｓ２０でＹＥＳ）、当該医療情報の表示設定識別子を更新する（Ｓ２１）。操作がなかった場合（Ｓ２０でＮＯ）、表示処理部５２は、後述のステップＳ２２の処理を行う。
【０１３０】
表示処理部５２は、第２表示領域６２内の医療情報を非表示設定から表示設定にする操作があったか否かを判定し（Ｓ２２）、操作があった場合（Ｓ２２でＹＥＳ）、当該医療情報の表示設定識別子を更新する（Ｓ２３）。操作がなかった場合（Ｓ２２でＮＯ）、表示処理部５２は、後述のステップＳ２４の処理を行う。
【０１３１】
表示処理部５２は、処理を終了するか否かを判定し（Ｓ２４）、処理を終了しない場合（Ｓ２４でＮＯ）、ステップＳ１７以降の処理を続け、処理を終了する場合（Ｓ２４でＹＥＳ）、処理を終了する。
【０１３２】
図２０は本実施の形態の表示装置５０による表示処理の第２例を示すフローチャートである。表示処理部５２は、患者の特定情報を取得し（Ｓ３１）、特定された患者の医療情報をサーバ２０から取得する（Ｓ３２）。表示処理部５２は、患者に係る医療期間の特定期間に得られた医療情報を表示領域に表示する（Ｓ３３）。ここで、表示領域は、第２表示領域６２でもよく、あるいは表示画面５１全体でもよい。
【０１３３】
表示処理部５２は、医療期間に得られた医療情報を列方向又は行方向に並べてときの列方向又は行方向の情報量を特定する（Ｓ３４）。ここで、医療期間とは、当該患者に係る医療情報の最も古い時から現在までの期間とすることができる。また、ステップＳ３４で特定する情報量とは、医療情報を列方向及び行方向に並べたときの一列又は一行当たりの医療情報の数でもよく、あるいは一列又は一行に配列された医療情報の両端側にある医療情報同士の間の長さでもよい。
【０１３４】
表示処理部５２は、表示領域に表示された医療情報の列方向及び行方向の情報量を特定する（Ｓ３５）。ステップＳ３５で特定する情報量とは、表示領域に表示された医療情報を列方向及び行方向に並べたときの一列又は一行当たりの医療情報の数でもよく、あるいは一列又は一行に配列された医療情報の位置でもよい。
【０１３５】
表示処理部５２は、特定した情報量に基づいて、画面内外識別子又は表示設定識別子を含む表示範囲図形を表示する（Ｓ３６）。表示処理部５２は、表示領域内の医療情報に対してスクロール操作があったか否かを判定し（Ｓ３７）、スクロール操作があった場合（Ｓ３７でＹＥＳ）、スクロール操作に応じて表示範囲図形を更新する（Ｓ３８）。スクロール操作がなかった場合（Ｓ３７でＮＯ）、表示処理部５２は、後述のステップＳ３９の処理を行う。
【０１３６】
表示処理部５２は、処理を終了するか否かを判定し（Ｓ３９）、処理を終了しない場合（Ｓ３９でＮＯ）、ステップＳ３７以降の処理を続け、処理を終了する場合（Ｓ３９でＹＥＳ）、処理を終了する。
【０１３７】
本実施の形態に係るコンピュータプログラムは、コンピュータに、患者の医療情報を表示画面に表示させるためのコンピュータプログラムであって、コンピュータに、前記表示画面の第１表示領域に前記患者に係る医療期間を表示する処理と、前記表示画面の第２表示領域に前記医療期間のうちの特定期間に得られた医療情報を表示する処理と、前記医療期間に得られた医療情報が、前記第２表示領域に表示された医療情報であるか否かを識別する画面内外識別子を前記第１表示領域に表示する処理とを実行させる。
【０１３８】
本実施の形態に係る表示装置は、患者の医療情報を表示画面に表示する表示装置であって、前記表示画面の第１表示領域に前記患者に係る医療期間を表示する第１表示処理部と、前記表示画面の第２表示領域に前記医療期間のうちの特定期間に得られた医療情報を表示する第２表示処理部と、前記医療期間に得られた医療情報が、前記第２表示領域に表示された医療情報であるか否かを識別する画面内外識別子を前記第１表示領域に表示する識別子表示処理部とを備える。
【０１３９】
本実施の形態に係る表示方法は、患者の医療情報を表示画面に表示する表示方法であって、前記表示画面の第１表示領域に前記患者に係る医療期間を第１表示処理部が表示し、前記表示画面の第２表示領域に前記医療期間のうちの特定期間に得られた医療情報を第２表示処理部が表示し、前記医療期間に得られた医療情報が、前記第２表示領域に表示された医療情報であるか否かを識別する画面内外識別子を前記第１表示領域に識別子表示処理部が表示する。
【０１４０】
本実施の形態の表示装置、該表示装置を実現するためのコンピュータプログラム及び表示方法は、表示装置の表示画面の第１表示領域に患者に係る医療期間を表示する。患者に係る医療期間とは、当該患者に係る医療情報の日時（時情報）のうち最も古い時から現在までの期間を示す。また、医療期間は、所定の期間（例えば、月単位など）に区切って表示することができる。例えば、患者の医療情報の最も古い時が２月であり、現在が１０月である場合、第１表示領域には、２月、３月、…１０月の月単位で区切った医療期間を表示することができる。
【０１４１】
本実施の形態の表示装置、コンピュータプログラム及び表示方法は、表示画面の第２表示領域に医療期間のうちの特定期間に得られた医療情報を表示する。すなわち、第２表示領域には、患者のすべての医療情報のうち、医療期間のうちの特定期間（例えば、３月、４月及び５月などの３か月に亘る期間）に係る医療情報を表示する。第２表示領域には、患者のすべての医療情報を時間軸（例えば、行方向又は横方向）と項目軸（例えば、列方向又は縦方向）との２軸でマトリクス状に配置した場合の行方向及び列方向それぞれの一部が表示される。
【０１４２】
本実施の形態の表示装置、コンピュータプログラム及び表示方法は、医療期間に得られた医療情報が、第２表示領域に表示された医療情報であるか否かを識別する画面内外識別子を第１表示領域に表示する。画面内外識別子は、例えば、図形、色、模様、記号又は数字などのいずれか、あるいは組み合わせによって構成することができる。
【０１４３】
例えば、患者の医療期間が２月〜１０月であり、第２表示領域に３月〜５月の医療情報が表示されているとする。第２表示領域の３月の欄に医療情報ａが表示されている場合、第１表示領域の３月の欄に医療情報ａが表示画面内に表示されていることを示す画面内外識別子が表示される。また、第２表示領域の４月の欄に医療情報ｂが表示されていない場合、第１表示領域の４月の欄に医療情報ｂが表示画面内に表示されていないことを示す画面内外識別子が表示される。また、患者の医療情報ｃが６月に存在する場合、第２表示領域は、３月〜５月の期間における医療情報を表示するので、第１表示領域の６月の欄に医療情報ｃが表示画面内に表示されていないことを示す画面内外識別子が表示される。
【０１４４】
上述の構成により、患者の医療期間におけるすべての医療情報に対応させて、医療情報が第２表示領域に表示されているか否かが画面内識別子によって容易に把握することができるので、第２表示領域に医療期間のうちの特定期間の医療情報が表示される場合でも、医療情報全体の中で当該表示された医療情報の位置づけを正確に把握することができる。
【０１４５】
本実施の形態に係るコンピュータプログラムは、コンピュータに、前記医療期間に得られた医療情報が、前記第２表示領域に表示すべく表示設定された医療情報であるか否かを識別する表示設定識別子を前記第１表示領域に表示する処理を実行させる。
【０１４６】
本実施の形態に係るコンピュータプログラムは、医療期間に得られた医療情報が、第２表示領域に表示すべく表示設定された医療情報であるか否かを識別する表示設定識別子を第１表示領域に表示する。表示設定識別子は、例えば、図形、色、模様、記号又は数字などのいずれか、あるいは組み合わせによって構成することができる。
【０１４７】
例えば、患者の医療期間が２月〜１０月であり、第２表示領域に３月〜５月の医療情報が表示されているとする。第２表示領域の３月の欄に非表示に設定された医療情報ｄが存在する場合、第１表示領域の３月の欄に医療情報ｄが非表示に設定されていることを示す表示設定識別子が表示される。
【０１４８】
上述の構成により、一旦、第２表示領域に表示しないように非表示に設定された医療情報が存在する場合でも、非表示設定された医療情報が存在することを容易に把握することができ、非表示に設定された医療情報の有無が確認することができないといった事態を防止することができる。また、第１表示領域には、医療情報ｄについての画面内外識別子も表示されるので、非表示に設定された医療情報ｄが、第２表示領域内（表示画面内）に存在するのか、第２表示領域外（表示画面外）に存在するのかも容易に把握することができる。すなわち、画面内外識別子及び表示設定識別子の両方を組み合わせることにより、医療情報の全体の中から表示画面内で表示されている医療情報及び表示画面内に存在するものの非表示となっている医療情報を把握することができる。また、医療情報の全体の中から、表示画面外にあって非表示となっている医療情報も把握することができ、医療情報の全体像を容易に把握することができる。
【０１４９】
本実施の形態に係るコンピュータプログラムは、コンピュータに、前記第２表示領域に表示すべく表示設定された医療情報の情報量を、前記表示設定識別子の数又は大きさによって表示する処理を実行させる。
【０１５０】
本実施の形態に係るコンピュータプログラムは、第２表示領域に表示すべく表示設定された医療情報の情報量を、表示設定識別子の数又は大きさによって表示する。表示設定識別子によって、表示設定及び非表示設定されている医療情報の情報量を容易に把握することができる。
【０１５１】
本実施の形態に係るコンピュータプログラムは、コンピュータに、前記第２表示領域に表示された医療情報の情報量を、前記画面内外識別子の数又は大きさによって表示する処理を実行させる。
【０１５２】
本実施の形態に係るコンピュータプログラムは、第２表示領域に表示された医療情報の情報量を、画面内外識別子の数又は大きさによって表示する。画面内外識別子によって、表示画面内及び表示画面外に存在する医療情報の情報量を容易に把握することができる。
【０１５３】
本実施の形態に係るコンピュータプログラムは、コンピュータに、前記画面内外識別子又は前記表示設定識別子を、画像、文書又は検査の少なくとも一つを含む医療情報の種別毎に異なる態様で前記第１表示領域に表示する処理を実行させる。
【０１５４】
本実施の形態に係るコンピュータプログラムは、画面内外識別子又は表示設定識別子を、画像、文書又は検査の少なくとも一つを含む医療情報の種別毎に異なる態様で第１表示領域に表示する。異なる態様とは、例えば、種別ごとに異なる色（文字の色、又は背景の色など）とすることができる。
【０１５５】
上述の構成により、医療情報の種別毎に画面内外識別子又は表示設定識別子を容易に見分けることができる。特に、患者の医療期間に亘る医療情報が多い場合でも、画面内外識別子又は表示設定識別子を種別ごとに異なる態様で表示するので、画面内外識別子又は表示設定識別子を容易に見分けることが可能となる。
【０１５６】
本実施の形態に係るコンピュータプログラムは、コンピュータに、前記種別毎に画像データ、文書データ又は検査データに係る医療情報を前記第２表示領域に表示する処理を実行させる。
【０１５７】
本実施の形態に係るコンピュータプログラムは、種別毎に画像データ、文書データ又は検査データに係る医療情報を第２表示領域に表示する。上述の構成により、医療情報の種別毎に各データを容易に見分けることができる。
【０１５８】
本実施の形態に係るコンピュータプログラムは、コンピュータに、前記画面内外識別子又は前記表示設定識別子を、前記種別毎に前記第２表示領域に表示する処理を実行させる。
【０１５９】
本実施の形態に係るコンピュータプログラムは、画面内外識別子又は表示設定識別子を、種別毎に第２表示領域に表示する。上述の構成により、医療期間一部の期間に亘る医療情報の種別毎に画面内外識別子又は表示設定識別子を容易に見分けることができる。
【０１６０】
本実施の形態に係るコンピュータプログラムは、コンピュータに、表示設定された医療情報を非表示設定にする操作を受け付けた場合、前記第１表示領域又は前記第２表示領域に表示した前記医療情報に係る前記表示設定識別子を表示から非表示へ更新する処理を実行させる。
【０１６１】
本実施の形態に係るコンピュータプログラムは、表示設定された医療情報を非表示設定にする操作を受け付けた場合、第１表示領域又は第２表示領域に表示した当該医療情報に係る表示設定識別子を表示から非表示へ更新する。
【０１６２】
第２表示領域には、患者の医療情報のうち一部の医療情報だけが表示されている。このため、第２表示領域に表示されていない医療情報を表示画面（第２表示領域）に表示させるべく、表示設定された医療情報を非表示設定にする操作を行う場合がある。これにより、第２表示領域に表示されていた医療情報が非表示になるとともに、第２表示領域に表示されていなかった医療情報を表示画面（第２表示領域）に表示させることができる。また、非表示設定にする操作に応じて、非表示に設定された医療情報に対応する表示設定識別子が更新される。また、非表示設定にする操作に応じて、第２表示領域に表示されるようになった医療情報に対応する画面内外識別子が更新される。
【０１６３】
本実施の形態に係るコンピュータプログラムは、コンピュータに、非表示設定された医療情報に係る表示領域を、表示設定された医療情報に係る表示領域よりも小さい態様で前記第２表示領域に表示する処理を実行させる。
【０１６４】
本実施の形態に係るコンピュータプログラムは、非表示設定された医療情報に係る表示領域を、表示設定された医療情報に係る表示領域よりも小さい態様で第２表示領域に表示する。医療情報に係る表示領域とは、例えば、当該医療情報を表示するための領域である。
【０１６５】
第２表示領域に表示されていた医療情報を非表示に設定した場合、当該医療情報に係る表示領域を小さくする。これにより、非表示に設定した医療情報を完全に表示画面から消去する場合に比べて、第２表示領域での他の医療情報の表示を妨げることなく、非表示に設定された医療情報が存在することを容易に把握することができる。
【０１６６】
本実施の形態に係るコンピュータプログラムは、コンピュータに、非表示設定された医療情報を表示設定にする操作を受け付けた場合、前記第１表示領域又は前記第２表示領域に表示した前記医療情報に係る前記表示設定識別子を非表示から表示へ更新する処理を実行させる。
【０１６７】
本実施の形態に係るコンピュータプログラムは、非表示設定された医療情報を表示設定にする操作を受け付けた場合、第１表示領域又は第２表示領域に表示した当該医療情報に係る表示設定識別子を非表示から表示へ更新する。
【０１６８】
患者の医療情報を再度確認するため、一旦非表示設定された医療情報を表示設定にする操作を行う場合がある。これにより、第２表示領域に表示されていなかった医療情報を表示画面（第２表示領域）に表示させることができる。また、表示設定にする操作に応じて、表示に設定された医療情報に対応する表示設定識別子が更新される。また、表示設定にする操作に応じて、第２表示領域に表示されるようになった医療情報に対応する画面内外識別子が更新される。
【０１６９】
本実施の形態に係るコンピュータプログラムは、コンピュータに、前記第２表示領域に表示された医療情報をスクロールする操作を受け付けた場合、前記スクロールに応じて、前記第１表示領域又は前記第２表示領域に表示した前記画面内外識別子を画面内から画面外又は画面外から画面内へ更新する処理を実行させる。
【０１７０】
本実施の形態に係るコンピュータプログラムは、第２表示領域に表示された医療情報をスクロールする操作を受け付けた場合、当該スクロールに応じて、第１表示領域又は第２表示領域に表示した画面内外識別子を画面内から画面外又は画面外から画面内へ更新する。
【０１７１】
スクロール操作によって、第２表示領域に表示されていなかった医療情報を表示画面（第２表示領域）に表示させることができる。スクロール操作に応じて、第２表示領域に表示されるようになった医療情報に対応する画面内外識別子が更新される。また、スクロール操作によって、第２表示領域に表示されていた医療情報を表示画面（第２表示領域）に表示しないようにすることができる。スクロール操作に応じて、第２表示領域に表示されないようになった医療情報に対応する画面内外識別子が更新される。
【０１７２】
本実施の形態に係るコンピュータプログラムは、コンピュータに、前記医療期間に得られた医療情報を列方向及び行方向に並べたときの列方向又は行方向の情報量を示す図形を表示する処理と、前記第２表示領域に表示された医療情報の前記列方向又は行方向の情報量を前記画面内外識別子によって表示する処理とを実行させる。
【０１７３】
本実施の形態に係るコンピュータプログラムは、医療期間に得られた医療情報を列方向及び行方向に並べたときの列方向又は行方向の情報量を示す図形を表示する。情報量は、医療情報を列方向及び行方向に並べたときの一列又は一行当たりの医療情報の数でもよく、あるいは一列又は一行に配列された医療情報の両端側にある医療情報同士の間の長さでもよい。図形は、例えば、情報量（数又は長さなど）に応じた大きさとすることができる。図形は、長方形でもよく、あるいは、正方形、円形又は三角形などの図形を複数並べたものでもよい。
【０１７４】
本実施の形態に係るコンピュータプログラムは、第２表示領域に表示された医療情報の列方向又は行方向の情報量を画面内外識別子によって表示する。情報量は、第２表示領域に表示された医療情報を列方向及び行方向に並べたときの一列又は一行当たりの医療情報の数でもよく、あるいは一列又は一行に配列された医療情報の位置でもよい。画面内外識別子は、例えば、情報量（数又は位置など）を表すことができるものであればよく、正方形、円形又は三角形などの図形を複数並べたものとすることができる。
【０１７５】
図形及び画面内外識別子によって、患者の医療期間に係る医療情報の全体が列方向又は行方向毎に把握することができるとともに、全体の医療情報のうち第２表示領域に表示されている医療情報の数又は位置が列方向又は行方向毎に把握することができる。これにより、第２表示領域で表示されている医療情報の表示範囲を把握することができる。
【０１７６】
本実施の形態に係るコンピュータプログラムは、コンピュータに、前記列方向又は行方向に並べられた前記医療期間に得られた医療情報に対する前記第２表示領域に表示された医療情報の前記列方向又は行方向の位置に対応させて、前記画面内外識別子を前記図形上の位置に表示する処理を実行させる。
【０１７７】
本実施の形態に係るコンピュータプログラムは、列方向又は行方向に並べられた医療期間に得られた医療情報に対する第２表示領域に表示された医療情報の列方向又は行方向の位置に対応させて、画面内外識別子を図形上の位置に表示する。これにより、第２表示領域で表示されている医療情報の表示範囲（位置）を一層明確に把握することができる。
【０１７８】
本実施の形態に係るコンピュータプログラムは、コンピュータに、前記医療期間に得られた医療情報を列方向及び行方向に並べたときの列方向又は行方向の情報量のうち非表示に設定された医療情報の情報量を前記表示設定識別子によって表示する処理を実行させる。
【０１７９】
本実施の形態に係るコンピュータプログラムは、医療期間に得られた医療情報を列方向及び行方向に並べたときの列方向又は行方向の情報量のうち非表示に設定された医療情報の情報量を表示設定識別子によって表示する。
【０１８０】
図形及び表示設定識別子によって、患者の医療期間に係る医療情報の全体が列方向又は行方向毎に把握することができるとともに、全体の医療情報のうち表示設定されている医療情報及び非表示設定されている医療情報の数又は位置が列方向又は行方向毎に把握することができる。これにより、医療情報全体の中で表示設定及び非表示設定されている医療情報を把握することができる。
【０１８１】
本実施の形態に係るコンピュータプログラムは、コンピュータに、前記列方向又は行方向に並べられた前記医療期間に得られた医療情報に対する前記非表示に設定された医療情報の前記列方向又は行方向の位置に対応させて、前記表示設定識別子を前記図形上の位置に表示する処理を実行させる。
【０１８２】
本実施の形態に係るコンピュータプログラムは、列方向又は行方向に並べられた、医療期間に得られた医療情報に対する非表示に設定された医療情報の列方向又は行方向の位置に対応させて、表示設定識別子を図形上の位置に表示する。これにより、非表示設定されている医療情報の範囲（位置）を一層明確に把握することができる。
【０１８３】
本実施の形態に係る表示装置は、患者の医療情報を表示画面に表示する表示装置であって、前記表示画面の第２表示領域に前記患者に係る医療期間のうちの特定期間に得られた医療情報を表示する第２表示処理部と、前記医療期間に得られた医療情報が、前記第２表示領域に表示すべく表示設定された医療情報であるか否かを識別する表示設定識別子を前記第２表示領域に表示する識別子表示処理部とを備える。
【０１８４】
本実施の形態に係る表示装置は、表示画面の第２表示領域に医療期間のうちの特定期間に得られた医療情報を表示する。すなわち、第２表示領域には、患者のすべての医療情報のうち、医療期間のうちの特定期間（例えば、３月、４月及び５月などの３か月に亘る期間）に係る医療情報を表示する。第２表示領域には、患者のすべての医療情報を時間軸（例えば、行方向又は横方向）と項目軸（例えば、列方向又は縦方向）との２軸でマトリクス状に配置した場合の行方向及び列方向それぞれの一部が表示される。
【０１８５】
本実施の形態に係る表示装置は、医療期間に得られた医療情報が、第２表示領域に表示すべく表示設定された医療情報であるか否かを識別する表示設定識別子を第２表示領域に表示する。表示設定識別子は、例えば、図形、色、模様、記号又は数字などのいずれか、あるいは組み合わせによって構成することができる。
【０１８６】
例えば、患者の医療期間が２月〜１０月であり、第２表示領域に３月〜５月の医療情報が表示されているとする。第２表示領域の３月の欄に非表示に設定された医療情報ｄが存在する場合、第２表示領域の３月の欄に医療情報ｄが非表示に設定されていることを示す表示設定識別子が表示される。
【０１８７】
上述の構成により、一旦、第２表示領域に表示しないように非表示に設定された医療情報が存在する場合でも、非表示設定された医療情報が存在することを容易に把握することができ、非表示に設定された医療情報の有無が確認することができないといった事態を防止することができる。すなわち、表示設定識別子により、医療情報の全体の中から表示画面内に存在するものの非表示となっている医療情報を把握することができ、医療情報の全体像を容易に把握することができる。
【０１８８】
本実施の形態に係るコンピュータプログラムは、コンピュータに、患者の医療情報を表示画面に表示させるためのコンピュータプログラムであって、コンピュータに、前記表示画面に前記患者に係る医療期間のうちの特定期間に得られた医療情報を表示する処理と、前記医療期間に得られた医療情報を列方向及び行方向に並べたときの列方向又は行方向の情報量を示す図形を表示する処理と、前記表示画面に表示された医療情報の前記列方向又は行方向の情報量を、前記表示画面に表示された医療情報であるか否かを識別する画面内外識別子によって表示する処理とを実行させる。
【０１８９】
本実施の形態に係る表示装置は、患者の医療情報を表示画面に表示する表示装置であって、前記表示画面に前記患者に係る医療期間のうちの特定期間に得られた医療情報を表示する表示処理部と、前記医療期間に得られた医療情報を列方向及び行方向に並べたときの列方向又は行方向の情報量を示す図形を表示する図形表示処理部と、前記表示画面に表示された医療情報の前記列方向又は行方向の情報量を、前記表示領域に表示された医療情報であるか否かを識別する画面内外識別子によって表示する識別子表示処理部とを備える。
【０１９０】
本実施の形態に係る表示方法は、患者の医療情報を表示画面に表示する表示方法であって、前記表示画面に前記患者に係る医療期間のうちの特定期間に得られた医療情報を表示処理部が表示し、前記医療期間に得られた医療情報を列方向及び行方向に並べたときの列方向又は行方向の情報量を示す図形を図形表示処理部が表示し、前記表示画面に表示された医療情報の前記列方向又は行方向の情報量を、前記表示領域に表示された医療情報であるか否かを識別する画面内外識別子によって識別子表示処理部が表示する。
【０１９１】
本実施の形態の表示装置、コンピュータプログラム及び表示方法は、表示画面に患者に係る医療期間のうちの特定期間に得られた医療情報を表示する。患者に係る医療期間とは、当該患者に係る医療情報の日時（時情報）のうち最も古い時から現在までの期間を示す。また、医療期間は、所定の期間（例えば、月単位など）に区切って表示することができる。例えば、患者の医療情報の最も古い時が２月であり、現在が１０月である場合、医療期間は、２月、３月、…１０月の如く月単位で区切って表すことができる。そして、表示画面には、患者のすべての医療情報のうちの特定期間（例えば、３月、４月及び５月などの３か月に亘る期間）に得られた医療情報を表示する。表示画面には、患者のすべての医療情報を時間軸（例えば、行方向又は横方向）と項目軸（例えば、列方向又は縦方向）との２軸でマトリクス状に配置した場合の行方向及び列方向それぞれの一部が表示される。
【０１９２】
本実施の形態の表示装置、コンピュータプログラム及び表示方法は、医療期間に得られた医療情報を列方向及び行方向に並べたときの列方向又は行方向の情報量を示す図形を表示する。情報量は、医療情報を列方向及び行方向に並べたときの一列又は一行当たりの医療情報の数でもよく、あるいは一列又は一行に配列された医療情報の両端側にある医療情報同士の間の長さでもよい。図形は、例えば、情報量（数又は長さなど）に応じた大きさとすることができる。図形は、長方形でもよく、あるいは、正方形、円形又は三角形などの図形を複数並べたものでもよい。
【０１９３】
本実施の形態の表示装置、コンピュータプログラム及び表示方法は、表示画面に表示された医療情報の列方向又は行方向の情報量を表示領域に表示された医療情報であるか否かを識別する画面内外識別子によって表示する。情報量は、表示画面に表示された医療情報を列方向及び行方向に並べたときの一列又は一行当たりの医療情報の数でもよく、あるいは一列又は一行に配列された医療情報の位置でもよい。画面内外識別子は、例えば、情報量（数又は位置など）を表すことができるものであればよく、正方形、円形又は三角形などの図形を複数並べたものとすることができる。
【０１９４】
図形及び画面内外識別子によって、患者の医療期間に係る医療情報の全体が列方向又は行方向毎に把握することができるとともに、全体の医療情報のうち表示画面に表示されている医療情報の数又は位置が列方向又は行方向毎に把握することができる。これにより、表示画面で表示されている医療情報の表示範囲を把握することができる。
【０１９５】
本実施の形態に係るコンピュータプログラムは、コンピュータに、前記医療期間に得られた医療情報を列方向及び行方向に並べたときの列方向又は行方向の情報量のうち非表示に設定された医療情報の情報量を表示設定識別子によって表示する処理を実行させる。
【０１９６】
本実施の形態に係るコンピュータプログラムは、医療期間に得られた医療情報を列方向及び行方向に並べたときの列方向又は行方向の情報量のうち非表示に設定された医療情報の情報量を表示設定識別子によって表示する。
【０１９７】
図形及び表示設定識別子によって、患者の医療期間に係る医療情報の全体が列方向又は行方向毎に把握することができるとともに、全体の医療情報のうち表示設定されている医療情報及び非表示設定されている医療情報の数又は位置が列方向又は行方向毎に把握することができる。これにより、医療情報全体の中で表示設定及び非表示設定されている医療情報を把握することができる。
【０１９８】
本実施の形態に係る表示システムは、本実施の形態に係る表示装置と、該表示装置に接続され、患者の医療情報を記憶する記憶部を有するサーバとを備える。
【０１９９】
本実施の形態に係る表示システムは、本実施の形態の表示装置と、表示装置に接続され、患者の医療情報を記憶する記憶部を有するサーバとを備える。これにより、患者の医療情報を一元管理することができる。
【０２００】
上述の実施の形態では、表示装置５０が表示処理部５２を備える構成であったが、これに限定されるものではない。例えば、サーバ２０に、表示処理部５２と同様の構成を備えることができる。この場合、表示装置５０では、操作入力部５３で行われた操作をサーバ２０へ出力し、当該操作に応じてサーバ２０が所要の表示処理を行い、処理結果を当該表示装置５０へ送信するようにすればよい。
【符号の説明】
【０２０１】
１０  情報処理装置
２０  サーバ
２１  制御部
２２  記憶部
２３  通信部
５０  表示装置
５１  表示画面
５２  表示処理部
５３  操作入力部
５４  通信部
５５  記憶部
５２１  第１表示処理部
５２２  第２表示処理部
５２３  識別子表示処理部
５２４  図形表示処理部
５２６  ＣＰＵ
５２７  ＲＯＭ
５２８  ＲＡＭ
５２９  記録媒体読取部
【図１】
0006988134.tif 000002
【図２】
0006988134.tif 000003
【図３】
0006988134.tif 000004
【図４】
0006988134.tif 000005
【図５】
0006988134.tif 000006
【図６】
0006988134.tif 000007
【図７】
0006988134.tif 000008
【図８】
0006988134.tif 000009
【図９】
0006988134.tif 000010
【図１０】
0006988134.tif 000011
【図１１】
0006988134.tif 000012
【図１２】
0006988134.tif 000013
【図１３】
0006988134.tif 000014
【図１４】
0006988134.tif 000015
【図１５】
0006988134.tif 000016
【図１６】
0006988134.tif 000017
【図１７】
0006988134.tif 000018
【図１８】
0006988134.tif 000019
【図１９】
0006988134.tif 000020
【図２０】
0006988134.tif 000021